(57)【特許請求の範囲】
【請求項１】
容器本体１の口部２の外面へ貼着する扁平な口板３の中間部に取出口４を開口させ、また、起倒に伴いその取出口を開閉する扁平な蓋板５を上記口板３の後部にて薄肉ヒンジ６を介して起倒自在に装備させるとともに、当該蓋板５に閉蓋・開蓋態勢を維持させる簡易弾性反転手段７を講じたことを特徴とする濡れティッシュペーパー容器用蓋板付き取出口。
【請求項２】
上記口板３の上面に上記蓋板５が閉蓋態勢にて納まる凹所８を形成し、該凹所に当該口板３とは別体の上記蓋板５を閉蓋態勢にて収納させて、該蓋板５の基端部９を凹所の後端部10に接合させ、かつ、その蓋板５の基端部９と蓋板本体11との間に上記薄肉ヒンジ６と上記簡易弾性反転手段７とを介在させ、その薄肉ヒンジ６は閉蓋態勢の蓋板下面にＶ溝12を形成することで形成し、また、その簡易弾性反転手段７は該Ｖ溝12内にて閉蓋態勢の蓋板本体11側から後方へと短突片13を突設することで蓋体自体の弾性を利用するものとして形成した請求項１記載の濡れティッシュペーパー容器用蓋板付き取出口。
【請求項３】
上記取出口４の内周にスカート14を周設し、上記蓋板５の内面に該スカートと気密に嵌合する栓筒15を垂設し、かつ、その蓋板５の先端につまみ16を付設した請求項１又は請求項２記載の濡れティッシュペーパー容器用蓋板付き取出口。
【発明の詳細な説明】
【０００１】
【発明の属する技術分野】
本発明は、濡れティッシュペーパー容器用蓋板付き取出口に関するものである。
【０００２】
【従来の技術】
濡れティッシュペーパーを収容して口部から一枚づつ引き出し得るようにし、その口部に開閉自在な気密性蓋体を備えた濡れティッシュペーパー容器は、既によく知られている。
この種の容器は、プラスチック製が主流で、多くは使い捨てられているが、最近では、プラスチックゴミの低減等に鑑み、パウチと称される気密性の袋に収容した詰め替え用の濡れティッシュペーパーも出回るようになり、空になった濡れティッシュペーパー容器を再度使用できるようになって来ている。
【０００３】
【発明が解決しようとする課題】
しかし、詰め替え用の濡れティッシュペーパーをパウチから出して空になった濡れティッシュペーパー容器へと詰め替えるのはかなり面倒であり、また、詰め替えの際、消毒・殺菌されている詰め替え用濡れティッシュペーパーに汚れた手を触れたのでは衛生上の問題が残り、折角の消毒・殺菌も無意味に帰することとなる。
そこで、本発明は、そのような濡れティッシュペーパー入りパウチの口部に、或いは、パウチと同程度の簡易な合成樹脂製容器の口部に簡単に装着できる扁平で簡潔な蓋体付き取出口を提供し、該蓋体付き取出口を用いることで、濡れティッシュペーパー入りパウチ等をそのままで詰め替え用ではない一般の濡れティッシュペーパー容器として支障なく使用できるようにしようとするものであり、併せて、携帯にも便利にしようとするものである。
【０００４】
【課題を解決するための手段】
上記目的達成のため、請求項１の発明は、容器本体１の口部２の外面へ貼着する扁平な口板３の中間部に取出口４を開口させ、また、起倒に伴いその取出口を開閉する扁平な蓋板５を上記口板３の後部にて薄肉ヒンジ６を介して起倒自在に装備させるとともに、当該蓋板５に閉蓋・開蓋態勢を維持させる簡易弾性反転手段７を講じて成る。
【０００５】
請求項２の発明は、請求項１の濡れティッシュペーパー容器用蓋板付き取出口にあって、上記口板３の上面に上記蓋板５が閉蓋態勢にて納まる凹所８を形成し、該凹所に当該口板３とは別体の上記蓋板５を閉蓋態勢にて収納させて、該蓋板５の基端部９を凹所の後端部10に接合させ、かつ、その蓋板５の基端部９と蓋板本体11との間に上記薄肉ヒンジ６と上記簡易弾性反転手段７とを介在させ、その薄肉ヒンジ６は閉蓋態勢の蓋板下面にＶ溝12を形成することで形成し、また、その簡易弾性反転手段７は該Ｖ溝12内にて閉蓋態勢の蓋板本体11側から後方へと短突片13を突設することで蓋体自体の弾性を利用するものとして形成して成る。
【０００６】
請求項３の発明は、請求項１又は請求項２の濡れティッシュペーパー容器用蓋板付き取出口にあって、上記取出口４の内周にスカート14を周設し、上記蓋板５の内面に該スカートと気密に嵌合する栓筒15を垂設し、かつ、その蓋板５の先端につまみ16を付設して成る。
【０００７】
【発明の実施の形態】
図１乃至図３は、請求項１乃至請求項３の発明に係る実施の形態を示している。
図において、１は、濡れティッシュペーパー入りのパウチ、簡易合成樹脂製容器等の容器本体、３は、該容器本体の口部２の外面へ貼着した扁平な合成樹脂製口板、４は、該口板の中間部に開口させた取出口、５は、該取出口を開閉する扁平な合成樹脂製蓋板である。
６は、蓋板５を起倒自在に装備させるために設けた薄肉ヒンジ、７は、蓋板５に閉蓋・開蓋態勢を維持させるために設けた簡易弾性反転手段である。
【０００８】
口板３は、方形に形成し、上面に蓋板５が閉蓋態勢にて納まる広幅で浅くかつ前後方向に抜けた凹所８を形成し、該凹所に当該口板３とは別体でやや狭幅の方形の蓋板５を閉蓋態勢にて収納させ、該蓋板５の基端部９と凹所の後端部10との間に複数のダボ17とダボ孔18とを設けて、相互に嵌合連結させている。
蓋板５は、基端部９と蓋板本体11との間に、薄肉ヒンジ６と簡易弾性反転手段７とを介在させており、その薄肉ヒンジ６は、閉蓋態勢の蓋板下面にＶ溝12を形成することで形成し、また、その簡易弾性反転手段７は、該Ｖ溝12内中間部にて閉蓋態勢の蓋板本体11側から後方へ短突片13を突設することで蓋体自体の弾性を利用するものとして形成している。
取出口４は、内周に、上向し下方へ折り返したスカート14を周設しており、また、蓋板５は、内面に、該スカートと気密に嵌合する栓筒15を垂設している。
そして、蓋板５は、先端に弓状のつまみ16を薄肉ヒンジ19を介して付設している。
【０００９】
如上の構成であり、使用に当たっては、まず、口板３を容器本体（パウチ等）１の口部２の外側に当てて超音波溶着等により接合一体化させ、次いで、口板３の凹所８に蓋板５を嵌めて取出口４を閉口させるとともに、ダボ17とダボ孔18と嵌合させて口板３と蓋板５とを連結一体化させる。
この状態で蓋板５を開蓋させたときは、簡易弾性反転手段７において、短突片13の先端が口板３の凹所後端部10上面を滑動して、蓋板５の基端部９を次第に大きく弾性変形させつつ閉蓋方向の弾力に抗して起立し、最大変形の中点（ヒンジの中心位置）を過ぎたところでその弾力が開蓋方向に反転して蓋板５が開蓋態勢に保持される（図３Ａ）。また、蓋板５を閉蓋させたときは、短突片13の先端が口板３の凹所後端部10上面を逆方向に滑動して、蓋板５の基端部９を次第に大きく弾性変形させつつ開蓋方向の弾力に抗して起立し、最大変形の中点（ヒンジの中心位置）を過ぎたところでその弾力が閉蓋方向に反転して蓋板５が閉蓋態勢に保持される（図３Ｂ）。
容器本体（パウチ等）１内の濡れティッシュペーパーを取り出すときは、蓋板５を開けて取出口４から引き出せばよい。
【００１０】
【発明の効果】
請求項１、請求項２、請求項３の発明によれば、既述構成であるから、次の効果を奏する。
▲１▼  濡れティッシュペーパー入りのパウチ等の容器本体１を、濡れティッシュペーパーにつき詰め替えることなくそのままで使用でき、したがって、従来の濡れティッシュペーパー容器の場合のように、濡れティッシュペーパーをパウチから取り出して詰め替える面倒もなければ、消毒・殺菌されている詰め替え用濡れティッシュペーパーに汚れた手を触れる不衛生も、折角の消毒・殺菌が無意味に帰することもない。
▲２▼  パウチ等の容器本体１の口部２に扁平な口板３と蓋板５とを有するものであるから、容器としては小形化、軽量化できて、携帯に頗る便利重宝である。
▲３▼  蓋板５を口板３の後部にて薄肉ヒンジ６を介して起倒自在に装備させるだけでなく、当該蓋板５に閉蓋・開蓋態勢を維持させる簡易弾性反転手段７を講じているので、閉蓋時にはその閉蓋態勢を的確に維持できて、濡れティッシュペーパーの乾燥を防止でき、また、開蓋時にはその開蓋態勢を的確に維持できて、濡れティッシュペーパーを容易に取り出すことができる。
【００１１】
加えて、請求項２、請求項３の発明によれば、既述構成であるから、簡潔でかつ使い易いものに構成できて、携帯にも便利で、安価な濡れティッシュペーパー容器を実現できる。
【００１２】
更に、請求項２の発明によれば、口板３と蓋板５とが別体の部材であるから、両者の組み合わせをその口板３とパウチ等の容器本体１等の超音波溶着等による接合の後にすることで、この超音波溶着等による接合を支障なく容易にかつ的確に行うことができる。
【００１３】
また、請求項３の発明によれば、取出口４の内周にスカート14を周設し、蓋板５の内面に該スカートと気密に嵌合する栓筒15を垂設し、かつ、その蓋板５の先端につまみ16を付設しているので、閉蓋時の気密性を確保でき、しかも、その開閉を容易にすることができる。
【図面の簡単な説明】
【図１】  請求項１乃至請求項３の発明に係る実施の形態を示す斜視図である。
【図２】  同分解斜視図である。
【図３】  同開蓋状態Ａと閉蓋状態Ｂとを示す要部の拡大断面図である。
【符号の説明】
１…容器本体                    ２…口部
３…口板                        ４…取出口
５…蓋板                        ６…薄肉ヒンジ
７…簡易弾性反転手段            ８…凹所
９…基端部                      10…後端部
11…蓋板本体                    12…Ｖ溝
13…短突片                      14…スカート
15…栓筒                        16…つまみ
17…ダボ                        18…ダボ孔
19…薄肉ヒンジ
【図１】
0003725350.tif 000002
【図２】
0003725350.tif 000003
【図３】
0003725350.tif 000004